(57)【要約】【課題】  ユーザが相性の悪い種類の光ディスクを使用するのを抑え、データの記録に失敗するのを十分に防止できる光ディスク装置を提供する。【解決手段】  光ディスク装置１は、光ディスク１０へのデータの記録に先立って、記憶部２ａに記憶している記憶特性情報に基づいて、装置本体との相性の良し悪しを表示部７に表示する。これにより、ユーザが本体に相性の悪い光ディスク１０がセットされていることをユーザに認識させることができ、ユーザが装置本体との相性が悪い光ディスク１０に対してデータの記録を行い、その結果データの記録に失敗するのを防止でき、ユーザの使い勝手の向上が図れる。【選択図】  図１
2005302172.tif 000002
【特許請求の範囲】
【請求項１】
本体にセットされた光ディスクにデータを記録する記録手段を備えた光ディスク装置において、
前記記録手段によるデータの記録完了後に、データを記録した光ディスクについて外周部の記録領域におけるジッタ値およびエラーレートを含む記録特性情報を測定する測定手段と、
データを記録した光ディスクについて、その種類を示すメディアＩＤを取得するメディアＩＤ取得手段と、
前記メディアＩＤ取得手段が取得したメディアＩＤに、前記測定手段が測定した記録特性情報を対応づけて記憶する記憶手段と、
前記記憶手段の記憶内容に基づいて、光ディスクの記録特性情報を出力する出力手段と、を備え、
前記出力手段は、前記記録手段によりデータを記録する光ディスクが本体にセットされたときに、この光ディスクの前記記録特性情報を出力し、
また、記録特性が予め定めたレベルよりも低い光ディスクについて、データの記録が適正なレベルで行える記録領域を示す情報も出力し、
さらに、装置本体に対して特定の入力があったとき、前記記憶手段にメディアＩＤを記憶している光ディスクについて、記録特性に基づくランクデータを出力する光ディスク装置。
【請求項２】
本体にセットされた光ディスクにデータを記録する記録手段を備えた光ディスク装置において、
前記記録手段によるデータの記録完了後に、データを記録した光ディスクについて所定の記録領域におけるジッタ値およびエラーレートを含む記録特性情報を測定する測定手段と、
データを記録した光ディスクについて、その種類を示すメディアＩＤを取得するメディアＩＤ取得手段と、
前記メディアＩＤ取得手段が取得したメディアＩＤに、前記測定手段が測定した記録特性情報を対応づけて記憶する記憶手段と、
前記記憶手段の記憶内容に基づいて、光ディスクの記録特性情報を出力する出力手段と、を備え、
前記出力手段は、前記記録手段によりデータを記録する光ディスクが本体にセットされたときに、この光ディスクの前記記録特性情報を出力する光ディスク装置。
【請求項３】
前記測定手段は、光ディスクの外周部の記録領域におけるジッタ値およびエラーレートを記録特性情報として測定する請求項２に記載の光ディスク装置。
【請求項４】
前記出力手段は、記録特性が予め定めたレベルよりも低い光ディスクについて、データの記録が適正なレベルで行える記録領域を示す情報も出力する請求項２、または３に記載の光ディスク装置。
【請求項５】
前記出力手段は、装置本体に対して特定の入力があったとき、前記記憶手段にメディアＩＤを記憶している光ディスクについて、記録特性に基づくランクデータを出力する請求項２〜４のいずれかに記載の光ディスク装置。
【発明の詳細な説明】
【技術分野】
【０００１】
この発明は、本体にセットされた、ＣＤやＤＶＤ等の光ディスクにデータを記録する光ディスク装置に関する。
【背景技術】
【０００２】
従来、ＣＤやＤＶＤ等の光ディスクにデータの記録が行える光ディスク装置が実用化され、一般に普及している。周知のように、データの記録が行える光ディスク（以下、記録型光ディスクと言う。）には追記型と書き換え可能型の２種類がある。また、記録型光ディスクには、データを記録するときに照射するレーザ光のパワーを決定するのに用いるＯＰＣ領域が設けられている。記録型光ディスクは、データの記録時に照射したレーザ光のパワーが適正でないと、記録したデータを再生したときに、その再生信号におけるジッタやエラーレートが悪く、記録したデータを再生できないことがある。そこで、従来の一般的な光ディスク装置は、光ディスクにデータを記録するとき、ＯＰＣ領域において照射するレーザ光のパワーを段階的に変化させてテスト信号を記録し、記録したテスト信号についてジッタやエラーレート等を記録特性として測定し、記録特性が最適であったときのレーザ光のパワー（最適記録パワー）を、記録時のレーザ光のパワーに決定するＯＰＣ処理を行っている。
【０００３】
また、ＯＰＣ処理にかかる時間の短縮や、最適記録パワーの測定精度を向上させるために、光ディスクの種類毎にＯＰＣ処理時におけるデータの記録速度や、記録ストラテジ等の記録条件を記憶させておき、対象の光ディスクについて記憶している記録条件を用いてＯＰＣ処理を行うことが特許文献１、２で提案されている。
【特許文献１】特開２００２−１６３８２５号公報
【特許文献２】特開２００３−  ５９０４７号公報
【発明の開示】
【発明が解決しようとする課題】
【０００４】
しかしながら、従来の光ディスク装置は、ＯＰＣ処理でジッタやエラーレート等の記録特性が、データを記録する光ディスク装置において最適になるレーザ光の照射パワーを決定しているだけである。一方、光ディスクはその種類によりデータの記録特性が異なり、また光ディスク装置はデータの記録特性が良い種類の光ディスク（相性の良い光ディスク）と、データの記録特性が良くない種類の光ディスク（相性の悪い光ディスク）と、があると言われている。しかも、同じタイプの光ディスク装置でも、相性が良い光ディスクの種類が異なると言われている。そして、相性の悪い光ディスクにデータを記録すると、記録したデータの記録特性が悪く、再生できないことがある（データの記録に失敗することがある。）。このような事態がおきるのを防止するには、光ディスク装置のユーザに対して相性の悪い光ディスクの種類を認識させて、ユーザが相性の悪い種類の光ディスクを使用しないようにすればよい。しかし、上述したように、同じタイプの光ディスク装置でも相性が良い光ディスクの種類が異なっており、ユーザに対して相性の悪い光ディスクの種類を認識させることが困難であった。このため、ユーザが相性の悪い種類の光ディスクを使用するのを抑え、データの記録に失敗するのを十分に防止できないという問題があった。
【０００５】
この発明の目的は、ユーザが相性の悪い種類の光ディスクを使用するのを抑え、データの記録に失敗するのを十分に防止できる光ディスク装置を提供することにある。
【課題を解決するための手段】
【０００６】
この発明の光ディスク装置は、上記課題を解決するために以下の構成を備えている。
【０００７】
（１）本体にセットされた光ディスクにデータを記録する記録手段を備えた光ディスク装置において、
前記記録手段によるデータの記録完了後に、データを記録した光ディスクについて所定の記録領域におけるジッタ値およびエラーレートを記録特性情報として測定する測定手段と、
データを記録した光ディスクについて、その種類を示すメディアＩＤを取得するメディアＩＤ取得手段と、
前記メディアＩＤ取得手段が取得したメディアＩＤに、前記測定手段が測定した記録特性情報を対応づけて記憶する記憶手段と、
前記記憶手段の記憶内容に基づいて、光ディスクの記録特性情報を出力する出力手段と、を備え、
前記出力手段は、前記記録手段によりデータを記録する光ディスクが本体にセットされたときに、この光ディスクの前記記録特性情報を出力する。
【０００８】
この構成では、記録手段により光ディスクにデータを記録すると、記録したデータのジッタ値、およびエラーレートを含む記録特性情報を測定する。また、メディアＩＤ取得手段が、その光ディスクの種類を示すメディアＩＤを取得する。一般的な光ディスクには、その種類を示すメディアＩＤが予め記録されている。メディアＩＤ取得手段は、このメディアＩＤを読み取ることにより、光ディスクの種類を示すメディアＩＤを取得する。記憶手段が、このメディアＩＤと記録特性情報とを対応づけて記憶する。そして、出力手段がデータを記録する光ディスクがセットされたときに、この光ディスクの種類に対応づけて記憶手段に記憶している記録特性情報を出力する。これにより、ユーザに対してデータを記録する光ディスクと、装置本体との相性を確実に認識させることができ、ユーザが相性の悪い種類の光ディスクを使用するのを抑え、データの記録に失敗するのを十分に防止できる。
【０００９】
（２）前記測定手段は、光ディスクの外周部の記録領域におけるジッタ値およびエラーレートを記録特性情報として測定する。
【００１０】
この構成では、光ディスクの外周部の記録領域におけるジッタ値およびエラーレートを記録特性情報として測定する。一般に、光ディスクにおけるデータの記録特性は、外周側ほど悪くなる。したがって、光ディスクと装置本体との相性の良し悪しを、データの記録に失敗する可能性の高さで判定し、その結果をユーザに認識させることができる。
【００１１】
（３）前記出力手段は、記録特性が予め定めたレベルよりも低い光ディスクについて、データの記録が適正なレベルで行える記録領域を示す情報も出力する。
【００１２】
この構成では、ユーザに対して、比較的記録特性のよい内周側の記録領域の使用を促し、データの記録に失敗する可能性が高い外周側の記録領域を使用しないように促すことができる。したがって、相性の悪い光ディスクについても、データの記録に失敗するのを抑え、且つデータの記録に失敗する可能性が低い内周側の記録領域を有効に利用させることができる。
【００１３】
（４）前記出力手段は、装置本体に対して特定の入力があったとき、前記記憶手段にメディアＩＤを記憶している光ディスクについて、記録特性に基づくランクデータを出力する。
【００１４】
この構成では、光ディスクの種類による記録特性をランクデータで出力するので、ユーザに対して相性が良い種類の光ディスク、および相性の悪い光ディスクを認識させることができる。
【発明の効果】
【００１５】
この発明によれば、ユーザに対してデータを記録する光ディスクと、装置本体との相性を確実に認識させることができ、ユーザが相性の悪い種類の光ディスクを使用するのを抑え、データの記録に失敗するのを十分に防止できる。
【発明を実施するための最良の形態】
【００１６】
以下、この発明の実施形態である光ディスク装置について説明する。
【００１７】
図１は、この発明の実施形態である光ディスク装置の主要部の構成を示すブロック図である。この実施形態の光ディスク装置１は、装置本体の動作を制御する制御部２と、装置本体にセットされた光ディスク１０にレーザ光を照射してデータの記録やデータの読取を行うピックアップヘッド３と、ピックアップヘッド３から照射されるレーザ光の照射位置を調整するサーボ制御部４と、光ディスク１０に記録する記録データをエンコードし、エンコードしたデータに基づいてピックアップヘッド３から光ディスク１０に照射するレーザ光を制御する記録部５と、ピックアップヘッド３で光ディスク１０から読み取った読取信号をデコードし、これを再生信号として出力する再生部６と、記録特性情報を表示する表示部７と、を備えている。
【００１８】
制御部２には、装置本体でデータを記録した光ディスク１０について、その種類毎にジッタ値、およびエラーレートを含む記録特性情報を記憶する記憶部２ａが設けられている。この記憶部２ａは、図２に示すように光ディスク１０の種類を示すメディアＩＤ、ディスク名称、記録特性情報、サンプル枚数を対応づけて記憶する。記録特性情報には、上述したようにジッタ値、エラーレートが含まれている。サンプル枚数は、この記録特性情報の取得に利用した光ディスク１０の枚数である。記録特性情報は、光ディスク１０の再外周のトラックに測定データを記録し、この測定データを実測して得たものである。光ディスク１０は、外周ほどデータの記録特性が低下する。したがって、記憶部２ａに記憶している記録特性情報は、その種類の光ディスク１０について略最低レベルの記録特性を示している。
【００１９】
ピックアップヘッド３は、本体にセットされた光ディスク１０の半径方向に延びる軸に取り付けられており、サーボ制御部４に設けられている送り機構部（不図示）がスレッドモータ４ａを駆動してピックアップヘッド３をこの軸に沿って光ディスク１０の半径方向に移動する。ピックアップヘッド３にはレンズを光ディスク１０に対して接離する方向、および光ディスク１０の半径方向に移動するための２軸のアクチュエータ（不図示）が設けられている。また、ピックアップヘッド３には、図示していないが光ディスク１０にレーザ光を照射するための発光素子や、光ディスク１０からの反射光を受光する受光素子を備えている。さらに、サーボ機構部４には、公知のフォーカスエラー信号（ＦＥ信号）に基づいて、ピックアップヘッド３に設けられているレンズを光ディスク１０に対して接離する方向に移動し、ピックアップヘッド３の発光素子から出射しているレーザ光を光ディスク１０の記録面に集光するフォーカスサーボ制御を行うフォーカスサーボ機構部（不図示）、および公知のトラッキングエラー信号（ＴＥ信号）に基づいて、レンズを光ディスク１０の半径方向に移動し、ピックアップヘッド３の発光素子から出射しているレーザ光を目的のトラックに照射するトラッキング制御を行うトラッキングサーボ機構部（不図示）が設けられている。フォーカスサーボ機構部、およびトラッキングサーボ機構部によるレンズの移動可能量は、それぞれ数百μｍである。送り機構部は、トラッキングサーボ機構部によるレンズの移動だけではピックアップヘッド３の発光素子から出射しているレーザ光を目的のトラックに照射できないときに、ピックアップヘッド３を光ディスクの半径方向に移動する。トラッキング制御は、送り機構部によるピックアップヘッド３の移動と、トラッキングサーボ機構部によるレンズの移動とを組み合わせて行う。
【００２０】
記録部５は、入力された記録データをエンコードし、このエンコードしたデータに基づいてピックアップヘッド３に設けられている発光素子から光ディスク１０に照射するレーザ光をオン／オフし、エンコードした記録データを光ディスク１０に記録する。再生部６は、光ディスク１０からの反射光を受光したピックアップヘッド３の受光素子の出力である読取信号をデコードし、これを再生信号として出力する。
【００２１】
次に、この実施形態の光ディスク装置１の動作について説明する。この実施形態の光ディスク装置１は、図示していないリモコン装置、または本体に設けられた操作部の再生キーが操作されたとき、本体にセットされている光ディスク１０に記録されているデータを再生する再生処理を行う。この再生処理は、公知の装置と同様であり、本体にセットされている光ディスク１０をスピンドルモータで回転させ、ピックアップヘッド３の発光素子から出射したレーザ光を光ディスク１０の記録面に照射し、その反射光を受光したピックアップヘッド３の受光素子の出力を読取信号として再生部６に入力する。再生部６では、入力された読取信号をデコードし、このデコードした信号を再生信号として出力する。また、この再生処理では、サーボ制御部４が、フォーカスエラー信号に基づくフォーカスサーボ、およびトラッキングエラー信号に基づくトラッキングサーボを行って、光ディスク１０から記録されているデータを読み取る記録位置（トラック）を調整する。フォーカスサーボやトラッキングサーボにかかる制御については公知であるので、ここでは詳細な説明は省略する。
【００２２】
次に、この発明の実施形態である光ディスク装置１における記録処理について説明する。この実施形態の光ディスク装置１は、リモコン装置、または本体に設けられた操作部の記録キーが操作されたとき、本体にセットされている光ディスク１０にデータを記録する記録処理を実行する。図３は、この実施形態の光ディスク装置における記録処理を示すフローチャートである。光ディスク装置１は、本体にセットされている光ディスク１０、すなわちこれからデータを記録する光ディスク１０、からその種類を示すメディアＩＤを読み取る（ｓ１）。光ディスク装置１は、ｓ１で読み取ったメディアＩＤをキーにして、記憶部２ａを検索し（ｓ２）、このメディアＩＤを記憶していれば、対応づけられている記録特性情報を読み出し、表示部７に表示する（ｓ３、ｓ４）。また、該当するメディアＩＤを記憶していなければ、その旨を表示部７に表示する（ｓ３、ｓ５）。
【００２３】
なお、記憶部２ａに記録特性情報が記憶される処理については後述するが、過去にデータを記録した光ディスク１０についてジッタ値やエラーレートを測定した実測値に基づいて記録特性情報を記憶している。
【００２４】
図４（Ａ）、（Ｂ）は、ｓ４における表示部７の表示例であり、図４（Ｃ）はｓ５における表示部７の表示例である。ｓ４では、記録特性情報が予め定めたレベルよりも高い、言い換えれば装置本体に対する相性が良い、光ディスク１０が本体にセットされている場合、図４（Ａ）に示すように、表示部７に記録特性情報とともに、本体にセットされている光ディスク１０が相性の良い光ディスク１０であること示すメッセージを表示する。反対に、記録特性情報が予め定めたレベルよりも低い、言い換えれば装置本体に対する相性が悪い、光ディスク１０が本体にセットされている場合、図４（Ｂ）に示すように、表示部７に記録特性情報、本体にセットされている光ディスク１０が相性の悪い光ディスク１０であること、およびこの光ディスク１０においてデータの記録に失敗しない領域を示すメッセージ等を表示する。光ディスク１０は、公知のように、外周ほどデータの記録特性が低下することから、相性が悪い光ディスク１０であっても、内周側の記録領域についてはデータの記録に失敗しない。したがって、図４（Ｂ）に示す表示を行うことで、装置本体との相性が悪い光ディスク１０であっても、データを記録しても支障がない記録領域をユーザに認識させることができ、この記録領域を有効に利用させることができる。データを記録しても支障がない記録領域は、記憶部２ａに記憶されている記録特性情報に基づいて算出する。また、ｓ５では、図４（Ｃ）に示すように、記録特性情報を記憶していないことを示すメッセージを表示部７に表示する。
【００２５】
光ディスク装置１は、ｓ４またはｓ５による表示を行うと、データの記録を行うかどうかの確定入力を待つ（ｓ６）。ユーザは、表示部７における表示から、本体に相性の悪い光ディスク１０がセットされていることを認識し、データを記録する光ディスク１０を交換する場合、データの記録を行う旨の入力を行う。光ディスク装置１は、データの記録を行わない旨の入力が行われると、本処理を終了する。したがって、ユーザが装置本体との相性が悪い光ディスク１０に対してデータの記録を行い、その結果データの記録に失敗するのを防止でき、ユーザの使い勝手の向上が図れる。
【００２６】
光ディスク装置１は、ｓ６でデータを記録する旨の確定入力が行われると、光ディスクに対するデータの記録を行う（ｓ７）。ｓ７では、まず光ディスク１０のＯＰＣ領域において、ＯＰＣ処理を実行して最適記録パワーを決定する。そして、記録部５が入力されている記録データをエンコードし、エンコードしたデータに基づいてピックアップヘッド３の発光素子から出射するレーザ光を制御して、光ディスク１０にエンコードした記録データを記録する。
【００２７】
光ディスク装置１は、ｓ７にかかるデータの記録が完了すると、今回データを記録した光ディスク１０の最外周のトラックに測定データが記録されているかどうかを判定する（ｓ８）。この測定データは、この光ディスク装置１が、記録特性を測定するために光ディスク１０に記録したデータであり、この測定データが記録されていない光ディスク１０は、装置本体で初めてデータを記録した光ディスク１０である。光ディスク装置１は、ｓ８で測定データが記録されていると判定すると、本処理を終了する。反対に、測定データが記録されていなければ、この光ディスク１０について記録特性情報を測定する記録特性情報測定処理を行い（ｓ９）、本処理を終了する。
【００２８】
図５は、この記録特性情報測定処理を示すフローチャートである。光ディスク装置１は、光ディスク１０の最外周のトラックに測定データを記録する（ｓ１１）。この測定データは、予め定められたデータである。光ディスク装置１は、測定データの記録が完了すると、今回記録した測定データを再生して、ジッタ値、エラーレート等を含む記録特性を測定する（ｓ１２）。そして、この光ディスク１０のメディアＩＤを取得し（ｓ１３）、記憶部２ａに該当するメディアＩＤが記憶されているかどうかを判定する（ｓ１４）。記憶部２ａに該当するメディアＩＤが記録されていなければ、今回測定した記録特性情報とメディアＩＤとを対応づけたレコードを新規に作成し、記憶する（ｓ１５）。このとき、サンプル枚数は１枚にする。また、ディスク名称については、ユーザに入力させても良いし、またインタネット等のネットワークに接続する機能を有していれば、ネットワークから自動的に取得するようにしてもよい。
【００２９】
反対に、記憶部２ａに該当するメディアＩＤが記録されていれば、該当するレコードのサンプル枚数を１カウントアップするとともに、今回測定した記録特性情報を加えてジッタ値、エラーレート等の平均値を算出し、ここで算出した値に更新する記録特性情報更新処理を行う（ｓ１６）。
【００３０】
このように、本体で光ディスク１０の最外周のトラックに測定データを記録し、この測定データのジッタ値、エラーレート等を記録特性情報として記憶部２ａに記憶する。したがって、装置本体との相性の良し悪しを適正に判断することができる。また、同じ種類の光ディスク１０については、ジッタ値、エラーレート等の平均値を記録特性情報にするので、記録特性情報の信頼性も確保できる。
【００３１】
さらに、この実施形態の光ディスク装置１は、データの記録を開始する前に、本体にセットされている光ディスク１０について、装置本体との相性の良し悪しをユーザに認識させるので、ユーザが相性の悪い種類の光ディスク１０を使用するのを抑え、データの記録に失敗するのを十分に防止できる。
【００３２】
また、リモコン、または操作部において特定の入力操作が行われたときに、記憶部２ａに記録特性情報を記憶している光ディスク１０について、表示部７に図６に示すように、記録特性が良い順番に並べ、ランクデータとして表示してもよい。このようにすれば、装置本体と相性の良い光ディスク１０をユーザに簡単に確認させることができ、ユーザが相性の悪い光ディスク１０を無駄に購入するのを防止できる。言い換えれば、装置本体との相性が良い光ディスク１０をユーザに購入させることができる。
【図面の簡単な説明】
【００３３】
【図１】この発明の実施形態である光ディスク装置の主要部の構成を示すブロック図である。
【図２】この発明の実施形態である光ディスク装置の制御部が記憶する記録特性情報を示す図である。
【図３】この実施形態の光ディスク装置における記録処理を示すフローチャートである。
【図４】この実施形態の光ディスク装置の表示部の表示例を示す図である。
【図５】この実施形態の光ディスク装置における記録特性情報測定処理を示すフローチャートである。
【図６】この実施形態の光ディスク装置の表示部の表示例を示す図である。
【符号の説明】
【００３４】
１−光ディスク装置
２−制御部
２ａ−記憶部
３−ピックアップヘッド
４−サーボ制御部
５−記録部
６−再生部
７−表示部
１０−光ディスク
【図１】
2005302172.tif 000003
【図２】
2005302172.tif 000004
【図３】
2005302172.tif 000005
【図４】
2005302172.tif 000006
【図５】
2005302172.tif 000007
【図６】
2005302172.tif 000008